(57)【特許請求の範囲】
【請求項１】
配線用開口部を備えた床下地材の上に、長手方向に沿っての両側端部に有する重ね部が側方に突出し、配線器具を備えた第１の床仕上げ材と、長手方向に沿っての両側端部に有する重ね部が側方に突出し、配線器具を備えていない第２の床仕上げ材とが交換可能に載置され、配線開口部を備えていない床下地材の上に、隣接する重ね部同士が上下に重なり合う形状を有する第３の床仕上げ材が載置され、第１の床仕上げ材および第２の床仕上げ材とこれらに隣接する第３の床仕上げ材との重ね部の下側に隙間部材が介在していることを特徴とする二重床構造。
【発明の詳細な説明】
【０００１】
【発明の属する技術分野】
この出願の発明は、二重床構造に関するものである。さらに詳しくは、この出願の発明は、配線位置の変更を容易に行うことのできる、新しい二重床構造に関するものである。
【０００２】
【従来の技術】
近年、ＯＡ機器等の配線を隠して見栄え向上や配線保護を実現すべく、床基礎部とその上に敷設される床材との間にある程度の空間を設け、その空間に配線を通すようにした二重床構造が、オフィスを中心に普及し始めており、それに伴って様々な構成・機構を有するものが開発されてきている（たとえば、実開平７−３２０７９、実開平４−３１９４１、特開平３−１８３８６３など）。
【０００３】
【発明が解決しようとする課題】
しかしながら、従来の二重床構造はいずれも、床施工後の配線位置の変更を十分に考慮したものとはいえず、配線位置の変更に手間がかかっていた。間取りの変更やＯＡ機器等の配置変更などが行われると、必要な配線の位置も異なってくる場合があり、この場合に配線位置が容易に変更できないのでは、実用上好ましくない。
【０００４】
この出願の発明は、以上の通りの事情に鑑みてなされたものであり、従来技術の問題点を解消し、床施工後でも配線を所望位置へ容易に変更することのできる、新しい二重床構造を提供することを課題としている。
【０００５】
【課題を解決するための手段】
この出願の発明は、上記の課題を解決するものとして、配線用開口部を備えた床下地材の上に、長手方向に沿っての両側端部に有する重ね部が側方に突出し、配線器具を備えた第１の床仕上げ材と、長手方向に沿っての両側端部に有する重ね部が側方に突出し、配線器具を備えていない第２の床仕上げ材とが交換可能に載置され、配線開口部を備えていない床下地材の上に、隣接する重ね部同士が上下に重なり合う形状を有する第３の床仕上げ材が載置され、第１の床仕上げ材および第２の床仕上げ材とこれらに隣接する第３の床仕上げ材との重ね部の下側に隙間部材が介在していることを特徴とする二重床構造を提供する。
【０００６】
【発明の実施の形態】
以下、添付した図面に沿って実施例を示し、この発明の実施の形態についてさらに詳しく説明する。
【０００７】
【実施例】
図１は、この発明の一実施例である二重床構造を例示したものである。
たとえばこの図１に例示したように、この発明の二重床構造は、配線用開口部（１１）を備えた床下地材（１）の上に床仕上げ材（２ａ）（２ｂ）が載置されており、配線器具（２１）を備えた床仕上げ材（２ａ）と配線器具（２１）を備えていない床仕上げ材（２ｂ）とが交換可能となっている。
【０００８】
この場合さらに説明すると、図１の例では、床下地材（１）および床仕上げ材（２）は、床基礎部（３）の上に支持脚（４）および支持補助部材（５）を介して敷設される床材を構成している。
【０００９】
床下地材（１）は、図２（ａ）（ｂ）（ｃ）にも例示したように、床基礎部（３）との間の空間に配設されている配線（６）を引き込むための配線用開口部（１１）を有している。
【００１０】
床仕上げ材（２ａ）（２ｂ）は、この床下地材（１）上に載置されるのであるが、その長手方向に沿っての両側端部に重ね部（２２）を有しており、載置時に、各隣接位置に介在する隙間部材（９）に重ね部（２２）が重なるようになっている。そして、図３および図４に例示したように、ネジ用孔（２３）を適所に有しており、載置後、ネジ用孔（２３）を通って床下地材（１）および支持補強部材（５）にねじ込まれる固定ネジ（７）によって、着脱可能に固定される。固定ネジ（７）の上にはネジ用孔（２３）を塞ぐキャップ（８）などが取り付けられてもよい（図４参照）。
【００１１】
したがって、電気コンセントや通信接続端子などの配線器具（２１）（図３参照）を有する床仕上げ材（２ａ）も、配線器具（２１）を有していない通常の床仕上げ材（２ｂ）も共に、極めて容易に取付け、取外しが可能なものとなっており、しかも着脱可能であるにもかかわらず、重ね部（２２）や隙間部材（９）によって、床下地材（１）に対して、また相互に密着性に優れたものとなっている。そして、図１に例示したように、必要なときに容易に相互交換が可能であり、配線位置の容易な変更を実現している。
【００１２】
図１の例では、最初は左側に配線器具（２１）を有する床仕上げ材（２ａ）が施工されていたが、たとえばその後の間取り変更やＯＡ機器等の位置変更などによって、右端の方へ配線（６）が必要となり、右端の通常の床仕上げ材（２ｂ）と床仕上げ材（２ａ）を交換する場合を示しており、任意交換が可能であることがわかる。
【００１３】
配線（６）は、床仕上げ材（２ａ）（２ｂ）を取り外した後に、位置を直して、右端の床下地材（１）の配線用開口部（１１）へ引き込み、床仕上げ材（２ａ）の配線器具（２１）に接続すればよい。なお、配線用開口部（１１）を、床強度を考慮しながらできるだけ大きくとっておくことで、交換時の配線（６）の位置直しも容易に行うことができる。床仕上げ材（２ａ）（２ｂ）として剛性の高いものを用いれば、開口面積もその分拡大できることは言うまでもない。また、図１の例では、交換位置の床下地材（１）のみが配線用開口部（１１）を有するものとなっているが、最初からほぼ全域あるいは必要性が予測できる範囲の床下地材（１）を配線用開口部（１１）を有するものとしておけば、配線器具（２１）付の床仕上げ材（２ａ）の取付け位置が限定されることもない。
【００１４】
図５は、床仕上げ材（２）の重ね部（２２）の別形状を例示したものであり、隣接する重ね部（２２）同士が上下に重なり合う形状を有している。この場合、図１の例における隙間部材（９）は必要ないが、もちろん着脱性・密着性に遜色があるわけではなく、必要部材点数が少なくなるという利点がある。
【００１５】
この発明は以上の例に限定されるものではなく、細部については様々な態様が可能であることは言うまでもない。
【００１６】
【発明の効果】
以上詳しく説明した通り、この発明の二重床構造によって、一度施工した後でも配線を所望位置へ容易に変更することができるようになる。
【図面の簡単な説明】
【図１】この発明の一実施例である二重床構造を例示した要部断面図である。
【図２】（ａ）〜（ｄ）は、各々、床下地材の一例を示した平面図である。
【図３】床仕上げ材の一例を示した平面図である。
【図４】床下地材および床仕上げ材の脱着固定構造の一例を示した断面図である。
【図５】床仕上げ材の別の一例を示した断面図である。
【符号の説明】
１  床下地材
１１  配線用開口部
２，２ａ，２ｂ  床仕上げ材
２１  配線器具
２２  重ね部
２３  ネジ用孔
３  床基礎部
４  支持脚
５  支持補助部材
６  配線
７  固定ネジ
８  キャップ
９  隙間部材
【図１】
0003654110.tif 000002
【図２】
0003654110.tif 000003
【図３】
0003654110.tif 000004
【図４】
0003654110.tif 000005
【図５】
0003654110.tif 000006